(57)【要約】      （修正有）【課題】ピッキング対象スペースの誤認によるピッキングミスの発生を少なくすることができるピッキング表示装置を提供する。【解決手段】前端の高さが照光式スイッチ１２より高くなされた突起部２により、ピッキング作業者が斜め前方に点灯している照光式スイッチ１２を視認する場合に照光式スイッチ１２の少なくとも一部が突起部２により隠され、近寄るにつれて照光式スイッチ１２の視認面積が大きくなることで点灯している照光式スイッチ１２の遠近感が顕著に強調され、また突起部２の上下方向の長さより左右方向の幅が小さくなされて突起部２が上下方向の仕切として視認されやすくなることで、ピッキング対象スペースの位置が把握し易くなり、ピッキング対象スペースの誤認によるピッキングミスの発生を少なくすることができる。【選択図】図２
2006298560.tif 000002
【特許請求の範囲】
【請求項１】
ピッキングに係わる情報を表示する表示部、及びピッキングを指示する照光式スイッチを備えたピッキング表示器と、該ピッキング表示器を支持体に取り付ける取付手段と、少なくとも信号の伝送を行う通信線とを備え、前記ピッキング表示器の表示部がピッキング用通路側に向けて設けられたピッキング支援装置であって、前端の高さが前記照光式スイッチの前端より高くなされた突起部が、前記照光式スイッチの前記ピッキング用通路延設方向の前後いずれか少なくとも一方に設けられ、該突起部の上下方向の長さより左右方向の幅が小さくなされていることを特徴とするピッキング支援装置。
【請求項２】
前記突起部は前記ピッキング表示器の取付手段と共通の取付手段を用いて前記支持体に取り付けられるものであることを特長とする請求項１に記載のピッキング支援装置。
【発明の詳細な説明】
【技術分野】
【０００１】
本発明は、物品のピッキング作業を支援するためのピッキング支援装置に関するものである。
【背景技術】
【０００２】
種々の商品等を保管する倉庫等において、当該商品をピッキングするために、商品又は商品が収納されるスペースの間口毎にピッキング表示器が取り付けられ、制御用コンピュータからの指示によりそのピッキング表示器を点灯させて、主として発光表示によりピッキング位置やピッキングする商品の数量を表示するピッキング支援システムが広く用いられてきている。
【０００３】
かかるピッキング支援システムに用いられるピッキング表示装置として、表示ユニットの係止部を配線ダクトベースの係合部に係合させることにより、表示ユニットが配線ダクトベースの前面に取り付けられると共に、表示部の接続端子が配線ダクトベースのテープ状の導電体に接触され、表示部が該導電体に電気的に接続されるようになされた表示装置が開示されている。
【０００４】
【特許文献１】特開平１０−１７７３５３号公報
【発明の開示】
【発明が解決しようとする課題】
【０００５】
しかしながら、特許文献１に記載のような従来のピッキング表示装置を、ピッキング用通路に沿って複数のピッキング対象スペースが連続して配置される収納棚等に取り付けた場合、概ね同じような外観のスペースに同じような外観のピッキング表示装置が取り付けられることになるので、斜め前方に照光式スイッチが点灯している場合に遠近感が把握しにくくなって隣接するスペースでピッキングを行ってしまう場合がある。また斜め前方からではピッキング対象スペースの間口が把握しにくくなって、同じくピッキングミスを行ってしまう恐れがあった。
【０００６】
本発明は上記の如き課題に鑑みてなされたものであり、ピッキング対象スペースの誤認によるピッキングミスの発生を少なくすることができるピッキング表示装置を提供せんとするものである。
【課題を解決するための手段】
【０００７】
上記目的を達成するため、本発明は以下のような構成としている。すなわち、本発明に係わるピッキング支援装置は、ピッキングに係わる情報を表示する表示部、及びピッキングを指示する照光式スイッチを備えたピッキング表示器と、該ピッキング表示器を支持体に取り付ける取付手段と、少なくとも信号の伝送を行う通信線とを備え、前記ピッキング表示器の表示部がピッキング用通路側に向けて設けられたピッキング支援装置であって、前端の高さが前記照光式スイッチの前端より高くなされた突起部が、前記照光式スイッチの前記ピッキング用通路延設方向の前後いずれか少なくとも一方に設けられ、該突起部の上下方向の長さより左右方向の幅が小さくなされていることを特徴とするものである。
【０００８】
本発明に係わるピッキング支援装置によれば、前端の高さが照光式スイッチより高くなされた突起部により、ピッキング作業者が斜め前方に点灯している照光式スイッチを視認する場合に照光式スイッチの少なくとも一部が突起部により隠され、近寄るにつれて照光式スイッチの視認面積が大きくなることで点灯している照光式スイッチの遠近感が顕著に強調され、また突起部の上下方向の長さより左右方向の幅が小さくなされて突起部が上下方向の仕切として視認されやすくなることで、ピッキング対象スペースの位置が把握し易くなり、ピッキング対象スペースの誤認によるピッキングミスの発生を少なくすることができる。
【０００９】
また請求項１に記載のピッキング支援装置において、前記突起部は前記ピッキング表示器の取付手段と共通の取付手段を用いて前記支持体に取り付けられるものであれば、突起部の取り付けに新たな取付手段を用いる必要がなく簡便に取り付けができ、またピッキング表示器の取付位置に応じて突起部をフレキシブルに取り付けることが可能となり好ましい。
【発明の効果】
【００１０】
本発明に係わるピッキング支援装置によれば、前端の高さが照光式スイッチより高くなされた突起部により、ピッキング作業者が斜め前方に点灯している照光式スイッチを視認する場合に照光式スイッチの少なくとも一部が突起部により隠され、近寄るにつれて照光式スイッチの視認面積が大きくなることで点灯している照光式スイッチの遠近感が顕著に強調され、また突起部の上下方向の長さより左右方向の幅が小さくなされて突起部が上下方向の仕切として視認されやすくなることで、ピッキング対象スペースの位置が把握し易くなり、ピッキング対象スペースの誤認によるピッキングミスの発生を少なくすることができる。
【発明を実施するための最良の形態】
【００１１】
本発明に係わる最良の実施の形態について、図面に基づき以下に具体的に説明する。
【００１２】
図１〜図５は、本発明に係わるピッキング支援装置の、実施の一形態を示すもので、まず図１はピッキング支援装置が設けられた収納棚の正面図である。収納棚Ｔは、上下左右に複数列の収納スペースＳが設けられ、収納スペースＳ毎にピッキング支援装置１０のピッキング表示器１が設けられている。ピッキング表示器１は、ピッキング作業者にピッキングする物品の数量や種類を提示する表示部１１と、発光によりピッキング対象スペースであることを明示し、且つピッキング作業者がピッキング終了後に入力することで作業終了の完了を送信できる照光式スイッチ１２が設けられており、ピッキング表示器１の両側には突起部２が設けられている。収納スペースＳは前面側に開口され、前面側にはピッキング作業者がピッキングを行うためのピッキング用通路Ｒが設けられており、ピッキング作業者はピッキング用通路Ｒを方向αに進退しながら収納スペースＳにピッキングを行う。
【００１３】
図２は、ピッキング表示装置１０の、ピッキング表示部１付近の詳細を示すもので、（ａ）は正面図、（ｂ）は平面図である。ピッキング表示器１の表示部１１は、発光により数字表示を行い、照光式スイッチ１２は、ボタン状となされ全体が発光するものである。ピッキング表示器１の両側に設けられた突起部２は、その前端の高さが照光式スイッチ１２の前端より高くなされ、上述の効果に加えて表示部１１や照光式スイッチ１２の保護、及び照光式スイッチ１２の誤入力を防止できるようになされている。
【００１４】
ピッキング表示器１は、収納棚Ｔの棚板の前端が支持体３となされて取り付けられ、ピッキング表示器１及び突起部２が設けられた残余の部分については、ピッキング表示器１の前面側と一体感を持たせた外形のカバーＣが装着されている。また、突起部２は、上下方向より左右方向の幅が小さくなされることで、ピッキング表示器１が設けられた部分を仕切るような視覚的効果を与え、ピッキング対象スペースであることを強調できるようになされている。
【００１５】
図３は、突起部２による照光式スイッチ１２の誤認防止効果を示す平面図である。まず（ａ）は突起部２が設けられていない場合の照光式スイッチ１２が視認可能な視野角を示すもので、照光式スイッチ１２から比較的遠い位置Ｐ１からの視野角はθ１となり、比較的近い位置Ｐ２からの視野角はθ２となる。次に（ｂ）において、同じ位置Ｐ１からは突起部２により遮られることで視野角は図中θ３程度となり、また位置Ｐ２からは突起部２に遮られないことから、（ａ）と同じくθ２となる。位置Ｐ１及びＰ２における視野角を比較すると、（ａ）と（ｂ）とでは、突起部２が設けられた（ｂ）のほうがその差が大きなものとなり、遠近感が強調されることでピッキング対象スペースの認識が誤りなく行われるようになり得る。
【００１６】
突起部２の高さは、照光式スイッチ１２の高さより高くなされていればよいが、あまりに高くすると点灯している照光式スイッチ１２が斜め前方から全く判らなくなる恐れがあることから、突起部２の高さａと、突起部２と照光スイッチ１２との距離ｂを適切な程度としておくのが好ましく、距離の比ａ／ｂは０．１〜１．０程度としておくのが好ましい。
【００１７】
図４はピッキング表示装置１０の側断面図で、（ａ）は図２（ａ）における表示部１１の断面を表すＡ−Ａ断面図、（ｂ）は突起部２の断面を表す同Ｂ−Ｂ断面図である。まず（ａ）において、支持体３の前側に、上下端付近に係合部５１が前面に設けられたレール５が取り付けられ、レール５の前面には更に電力線を兼ねる二本の通信線４が設けられている。ピッキング表示器１の上下面を形成するカバー１３の、上下端には係止部１４が延設され、レール５に対し係止部１４と係合部５１とが取付手段６となって、係止部１４が係合部５１に嵌着されることでピッキング表示器１は支持体３に取り付けられる。表示部１１には、数字表示の光源となるＬＥＤ発光体１１１と、ＬＥＤ発光体１１１からの光を数字表示に変換する変換部１１２と、変換部１１２からの光を透過する窓部１１３が備えられ、カバー１３の前面側が切り欠かれて窓部１１３が露出されて嵌着されることでピッキングに係わる情報の表示が行われる。
【００１８】
ここで通信線４は、ピッキング表示器１やカバーＣのみによって覆われるものとなされ、係止部１４が係合部５１に嵌着されることで、表示部１１の背面側と通信線４とが接触し、取付手段６を嵌着するのみで表示部１１が通信線４に電気的に接続されるようになされている。
【００１９】
次に（ｂ）において、突起部２は上下面を形成するカバー１３の前端に、半円盤状の突起部２が設けられており、カバー１３の背面側端部に設けられた係止部１４とレール５に設けられた係合部５１とが取付手段６となされ、取付手段６により突起部２が支持体３に取り付けられるようになされている。
【００２０】
突起部２は、ピッキング表示器１と一体に設けておくこともできるが、図５に示す如く、突起部２と、突起部２が設けられた幅の分だけカバー１３とを一体の部材として、取付手段により取り付け可能としておけば、取り付けが簡便に行うことができ、また既設のピッキング表示装置にも適用することができる。
【００２１】
ここで取付手段６は、ピッキング表示器１及び突起部２について共通なものとなされ、突起部２の取り付けに新たな取付手段６を用いる必要がなく簡便に取り付けができ、またピッキング表示器１の取付位置に応じて突起部２をフレキシブルに取り付けることが可能となされている。更に本実施形態においては、レール５が同一断面で連続して設けられていることで、支持体３に対してピッキング用通路の延設方向に沿って任意の場所でピッキング表示器１、突起部２及びカバーＣが取り付け可能となされ、収納棚Ｔのレイアウト変更等に伴うピッキング表示器１の取付位置変更への対応が容易となり、また上述の、突起部２を適切な位置に取り付けることが容易にでき得る。
【００２２】
突起部２の形状は、半円盤状の形状のものに限定されず、図６に示す如く、種々の形状のものとしてもよい。図６は、突起部２の変形の例を示す斜視図であるが、（ａ）のように突起部２に孔を開けたものとしておけば、孔を用いて札等の吊り下げを行うことができる。（ｂ）や（ｃ）のように、前端までがカバー１３上面の幅となるように突設したものとすれば、照光式スイッチ１２の光漏れをより防止することができる。また（ｄ）のようにカバー１３の上面の幅より大きく、且つカバー１３の上面を覆うように突設すれば、斜め上下方からの視認における誤認識を防止することができる。また（ｅ）のように半円盤状で、支持体の延設方向に傾斜がなだらかとなされていれば、衝突による突起部２の破損の恐れを小さくして、衝突が頻繁に発生するような場所に好適に適用することができるようになる。衝突に関しては（ｃ）にも同様の効果が得られる。（ｆ）のように、断面キノコ状の形状に突出させれば、鋭利な部位がなくされてピッキング作業者が衝突してもそれ程痛みを感じさせないようにすることができる。
【００２３】
突起部２を形成する材料としては、カバー１３と一体に成形する場合にはその複雑な形状から、射出成形をはじめとする熱成形が可能なポリエチレン、ポリプロピレン、ＡＢＳ樹脂、ＡＡＳ樹脂、ポリ塩化ビニル樹脂等の熱可塑性合成樹脂が好適に用いられるが、カバー１３に接着する等して形成する場合には、硬質合成樹脂に限らず、天然ゴムやブタジエンスチレンゴム等、各種合成ゴムやエラストマーなどの合成樹脂等からなる弾性材料を用いて、ピッキング作業者が衝突した際の衝撃を緩衝できるようにしてもよい。
【図面の簡単な説明】
【００２４】
【図１】本発明に係わるピッキング表示装置の、実施の一形態を示す正面図である。
【図２】ピッキング表示器付近の詳細を示す説明図である。
【図３】突起部を設けた場合の効果を説明する説明図である。
【図４】表示部及び突起部の断面を表す断面図である。
【図５】取付手段を用いた突起部の取り付けを示す説明図である。
【図６】突起部の変形の例を示す説明図である。
【符号の説明】
【００２５】
１    ピッキング表示器
１１  表示部
１２  照光式スイッチ
２    突起部
３    支持体
４    通信線
６    取付手段
１０  ピッキング表示装置
Ｒ    ピッキング用通路
【図１】
2006298560.tif 000003
【図２】
2006298560.tif 000004
【図３】
2006298560.tif 000005
【図４】
2006298560.tif 000006
【図５】
2006298560.tif 000007
【図６】
2006298560.tif 000008